(57)【要約】【課題】インク吸収体によってインクを迅速かつ十分に吸収することができるインク吸収体収納容器およびインク吸収用構造体を提供すること。【解決手段】インクの吸収が可能な吸水性樹脂を含むインク吸収体を収納し、前記インクが供給される収納空間を有する容器本体と、前記収納空間内に設置され、前記収納空間内に供給された前記インクを前記容器本体の少なくとも底部側に導く導液空間を形成する導液管と、を備え、前記導液管の管壁には、前記導液空間と前記収納空間とを連通する連通部が形成されていることを特徴とするインク吸収体収納容器。【選択図】図２
2019171599.tif 000002
【特許請求の範囲】
【請求項１】
インクの吸収が可能な吸水性樹脂を含むインク吸収体を収納し、前記インクが供給される収納空間を有する容器本体と、
前記収納空間内に設置され、前記収納空間内に供給された前記インクを前記容器本体の底部に導く導液空間を形成する導液管と、を備え、
前記導液管の管壁には、前記導液空間と前記収納空間とを連通する連通部が形成されていることを特徴とするインク吸収体収納容器。
【請求項２】
前記連通部は、前記管壁を貫通して形成された複数の小孔で構成されている請求項１に記載のインク吸収体収納容器。
【請求項３】
前記連通部は、前記管壁を貫通し、前記導液管の中心軸方向に沿って形成された複数のスリットで構成されている請求項１に記載のインク吸収体収納容器。
【請求項４】
前記容器本体は、底部と、前記底部から立設した側壁部とを有し、
前記導液空間に連通し、前記導液空間を通過してきた前記インクを、前記底部および前記側壁部のうちの少なくとも前記底部に沿って拡散させる拡散空間を形成する拡散部を備える請求項１ないし３のいずれか１項に記載のインク吸収体収納容器。
【請求項５】
前記拡散部は、前記拡散空間と前記収納空間とを区切る隔壁部を有し、
前記隔壁部には、前記拡散空間と前記収納空間とを連通する連通部が形成されている請求項４に記載のインク吸収体収納容器。
【請求項６】
前記連通部は、前記隔壁部を貫通して形成された複数の小孔で構成されている請求項５に記載のインク吸収体収納容器。
【請求項７】
前記隔壁部には、前記収納空間に突出した突出部が形成されている請求項５または６に記載のインク吸収体収納容器。
【請求項８】
前記容器本体は、底部と、前記底部から立設した側壁部とを有し、
前記導液管は、前記底部側から突出している請求項１ないし７のいずれか１項に記載のインク吸収体収納容器。
【請求項９】
請求項１ないし８のいずれか１項に記載のインク吸収体収納容器と、
前記収納空間に収納され、インクの吸収が可能な吸水性樹脂を含むインク吸収体と、を備えることを特徴とするインク吸収用構造体。
【発明の詳細な説明】
【技術分野】
【０００１】
本発明は、インク吸収体収納容器およびインク吸収用構造体に関する。
【背景技術】
【０００２】
インクジェットプリンターでは、通常、インクの目詰まりによる印刷品質の低下を防止するために実施されるヘッドクリーニング動作や、インクカートリッジ交換後のインク充填動作の際に、廃インクが発生する。そこで、このような廃インクがプリンター内部の機構等に対する不本意な付着が生じないようにするために、廃インクを吸収する廃インク吸収体を備えている（例えば、特許文献１参照）。
【０００３】
特許文献１に記載の廃インク吸収体は、厚さ方向に貫通した貫通開口を有するインク吸収板を複数枚備え、これらが重ねられたものとなっている。また、貫通開口同士は、連通しているのが好ましい。これは、連通した貫通開口を介して、廃インクを廃インク吸収体のできる限り奥側、すなわち、下側に到達させ、そこから吸収させるのが好ましいからである。しかしながら、例えば、各インク吸収板がインク吸収時の膨張と、乾燥時の収縮とを繰り返していくうちに変形していくと、貫通開口が塞がってしまい、その結果、貫通開口同士の連通状態が阻害されることがある。この場合、インクを迅速に吸収することができなかったり、また、インクを十分に吸収することができなかったりする等の問題が生じる。
【先行技術文献】
【特許文献】
【０００４】
【特許文献１】特開２０００−１４１７０５号公報
【発明の概要】
【発明が解決しようとする課題】
【０００５】
本発明の目的は、インク吸収体によってインクを迅速かつ十分に吸収することができるインク吸収体収納容器およびインク吸収用構造体を提供することにある。
【課題を解決するための手段】
【０００６】
本発明は、上述の課題の少なくとも一部を解決するためになされたものであり、以下のものとして実現することが可能である。
【０００７】
本発明のインク吸収体収納容器は、インクの吸収が可能な吸水性樹脂を含むインク吸収体を収納し、前記インクが供給される収納空間を有する容器本体と、
前記収納空間内に設置され、前記収納空間内に供給された前記インクを前記容器本体の底部に導く導液空間を形成する導液管と、を備え、
前記導液管の管壁には、前記導液空間と前記収納空間とを連通する連通部が形成されていることを特徴とする。
【０００８】
これにより、例えばインクが導液空間内で一時的に滞留した場合、この滞留した分が複数の小孔の内の少なくとも１つの小孔を介して、インク吸収体に吸収される。これにより、導液空間内でのインクの滞留を抑制することができ、よって、インクの迅速かつ十分な吸収が可能となる。
【０００９】
本発明のインク吸収体収納容器では、前記連通部は、前記管壁を貫通して形成された複数の小孔で構成されているのが好ましい。
【００１０】
これにより、例えばインクが導液空間内で一時的に滞留した場合、この滞留した分が複数の小孔の内の少なくとも１つの小孔を介して、インク吸収体に吸収される。これにより、導液空間内でのインクの滞留を抑制することができ、よって、インクの迅速かつ十分な吸収が可能となる。
【００１１】
本発明のインク吸収体収納容器では、前記連通部は、前記管壁を貫通し、前記導液管の中心軸方向に沿って形成された複数のスリットで構成されているのが好ましい。
【００１２】
これにより、例えばインクが導液空間内で一時的に滞留した場合、この滞留した分が複数のスリットの内の少なくとも１つのスリットを介して、インク吸収体に吸収される。これにより、導液空間内でのインクの滞留を抑制することができ、よって、インクの迅速かつ十分な吸収が可能となる。
【００１３】
本発明のインク吸収体収納容器では、前記容器本体は、底部と、前記底部から立設した側壁部とを有し、
前記導液空間に連通し、前記導液空間を通過してきた前記インクを、前記底部および前記側壁部のうちの少なくとも前記底部に沿って拡散させる拡散空間を形成する拡散部を備えるのが好ましい。
【００１４】
これにより、容器本体の底部や側壁部側からもインクが導液空間に流入することができ、よって、インク吸収体によるインクの迅速かつ十分な吸収がさらに可能となる。
【００１５】
本発明のインク吸収体収納容器では、前記拡散部は、前記拡散空間と前記収納空間とを区切る隔壁部を有し、
前記隔壁部には、前記拡散空間と前記収納空間とを連通する連通部が形成されているのが好ましい。
【００１６】
これにより、拡散空間内で拡散されたインクは、隔壁部の連通部を通過することができ、その後迅速にインクが吸収されることとなる。
【００１７】
本発明のインク吸収体収納容器では、前記連通部は、前記隔壁部を貫通して形成された複数の小孔で構成されているのが好ましい。
【００１８】
これにより、拡散空間内で拡散されたインクは、いずれの小孔からも導液空間に流入して、その後迅速にインクが吸収されることとなる。
【００１９】
本発明のインク吸収体収納容器では、前記隔壁部には、前記収納空間に突出した突出部が形成されているのが好ましい。
【００２０】
例えばインク吸収体が小片状（短冊状）をなすものである場合、この小片は、突出部によって隔壁部の連通部から離されて、当該連通部を塞ぐのが防止される。これにより、インクは、隔壁部の連通部を円滑に通過することができる。その結果、インクは、収納空間内に広がって、インク吸収体に十分に到達することができ、その後インク吸収体で吸収される。
【００２１】
本発明のインク吸収体収納容器では、前記容器本体は、底部と、前記底部から立設した側壁部とを有し、
前記導液管は、前記底部側から突出しているのが好ましい。
【００２２】
これにより、インク供給口から供給されたインクは、導液管内、すなわち、導液空間を通過して、容器本体の底部側に迅速かつ円滑に導かれることとなる。
【００２３】
本発明のインク吸収用構造体は、本発明のインク吸収体収納容器と、
前記収納空間に収納され、インクの吸収が可能な吸水性樹脂を含むインク吸収体と、を備えることを特徴とする。
【００２４】
これにより、例えばインクが導液空間内で一時的に滞留した場合、この滞留した分が複数の小孔の内の少なくとも１つの小孔を介して、インク吸収体に吸収される。これにより、導液空間内でのインクの滞留を抑制することができ、よって、インクの迅速かつ十分な吸収が可能となる。
【図面の簡単な説明】
【００２５】
【図１】図１は、本発明のインク吸収用構造体（インク吸収体収納容器）の第１実施形態における使用状態（一例）を示す図である。
【図２】図２は、図１に示すインク吸収用構造体（インク吸収体収納容器）の垂直断面図である。
【図３】図３は、図１に示すインク吸収用構造体（インク吸収体収納容器）が備える導液管の斜視図である。
【図４】図４は、図１に示すインク吸収用構造体（インク吸収体収納容器）が備えるインク吸収体の拡大詳細垂直断面図である。
【図５】図５は、本発明のインク吸収用構造体（インク吸収体収納容器）の第２実施形態が備えるインク吸収体の拡大詳細垂直断面図である。
【図６】図６は、本発明のインク吸収用構造体（インク吸収体収納容器）の第３実施形態における導液管の斜視図である。
【図７】図７は、本発明のインク吸収用構造体（インク吸収体収納容器）の第３実施形態における拡散部（隔壁部）の斜視図である。
【図８】図８は、本発明のインク吸収用構造体（インク吸収体収納容器）の第４実施形態の垂直断面図である。
【図９】図９は、図８に示すインク吸収用構造体（インク吸収体収納容器）が備えるインク吸収体の拡大詳細垂直断面図である。
【図１０】図１０は、本発明のインク吸収用構造体（インク吸収体収納容器）の第５実施形態が備える導液管の斜視図である。
【発明を実施するための形態】
【００２６】
以下、本発明のインク吸収体収納容器およびインク吸収用構造体を添付図面に示す好適な実施形態に基づいて詳細に説明する。
【００２７】
＜第１実施形態＞
図１は、本発明のインク吸収用構造体（インク吸収体収納容器）の第１実施形態における使用状態（一例）を示す図である。図２は、図１に示すインク吸収用構造体（インク吸収体収納容器）の垂直断面図である。図３は、図１に示すインク吸収用構造体（インク吸収体収納容器）が備える導液管の斜視図である。図４は、図１に示すインク吸収用構造体（インク吸収体収納容器）が備えるインク吸収体の拡大詳細垂直断面図である。なお、以下では、説明の都合上、図１〜図４中（図５〜図８および図１０についても同様）の上側を「上（または上方）」、下側を「下（下方）」と言う。
【００２８】
図１に示すように、本発明のインク吸収体収納容器１は、例えば、印刷装置２００に装着され、「廃液タンク（廃インクタンク）」として用いられるものである。図２に示すように、インク吸収体収納容器１は、インクＱの吸収が可能な吸水性樹脂３０（図４参照）を含むインク吸収体１０を収納し、インクＱが供給される収納空間９３を有する容器本体９と、収納空間内９３に設置され、収納空間９３内に供給されたインクＱを容器本体９の底部９１に導く導液空間３１を形成する導液管３と、を備えている。この導液管３の管壁３３には、導液空間３１と収納空間９３とを連通する連通部（第１連通部）３４が形成されている。
【００２９】
また、本発明のインク吸収用構造体１００は、インク吸収体収納容器１と、収納空間９３に収納され、インクＱの吸収が可能な吸水性樹脂３０を含むインク吸収体１０と、を備えている。
【００３０】
後述するように、例えばインク供給口８１からのインクＱの供給量や供給速度の大きさによっては、インクＱが導液空間３１を通過する過程で、導液空間３１内で一時的に滞留する場合がある。この場合でも、本発明により、前記滞留した分が連通部３４を通過して、インク吸収体１０に吸収されることとなる。これにより、導液空間３１内でのインクＱの滞留を抑制することができ、よって、インクＱの迅速かつ十分な吸収が可能となる。
【００３１】
なお、本明細書における「吸水」とは、水系溶媒に色材が溶解した水系インクを吸収することはもちろん、溶剤にバインダーが溶解した溶剤系インクや、ＵＶ照射により硬化する液状のモノマー中にバインダーが溶解したＵＶ硬化性インクや、分散媒にバインダーが分散したラテックスインク等、インク全般を吸収することを言う。
【００３２】
図１に示す印刷装置２００は、例えば、インクジェット式のカラープリンターである。この印刷装置２００は、インクＱを吐出するインク吐出ヘッド２０１と、インク吐出ヘッド２０１のノズル２０１ａの目詰まりを防止するキャッピングユニット２０２と、キャッピングユニット２０２とインク吸収用構造体１００とを接続するチューブ２０３と、インクＱをキャッピングユニット２０２からインク吸収用構造体１００に送るローラーポンプ２０４とを備えている。
【００３３】
インク吐出ヘッド２０１は、下方に向かってインクＱを吐出するノズル２０１ａを複数有している。このインク吐出ヘッド２０１は、ＰＰＣシート等のような記録媒体（図示せず）に対して移動しつつ、インクＱを吐出して、印刷を施すことができる（図１中の二点鎖線で描かれたインク吐出ヘッド２０１参照）。
【００３４】
キャッピングユニット２０２は、インク吐出ヘッド２０１が待機位置にあるときに、ローラーポンプ２０４の作動により、各ノズル２０１ａを一括して吸引して、ノズル２０１ａの目詰まりを防止するものである。
【００３５】
チューブ２０３は、キャッピングユニット２０２を介して吸引されたインクＱがインク吸収用構造体１００に向かって通過するものである。このチューブ２０３は、可撓性を有している。
【００３６】
ローラーポンプ２０４は、チューブ２０３の途中に配置され、ローラー部２０４ａと、ローラー部２０４ａとの間でチューブ２０３の途中を挟持する挟持部２０４ｂとを有している。ローラー部２０４ａが回転することにより、チューブ２０３を介して、キャッピングユニット２０２に吸引力が生じる。そして、ローラー部２０４ａが回転し続けることにより、ノズル２０１ａに付着したインクＱをインク吸収用構造体１００まで送り込むことができる。そして、このインクＱは、廃液として、インク吸収用構造体１００で吸収される。なお、インクＱには、種々の色のものが含まれている。
【００３７】
図１〜図４に示すように、インク吸収用構造体１００は、インク吸収体収納容器１と、インクＱの吸収に用いられるインク吸収体１０と、を備えている。このインク吸収用構造体１００は、印刷装置２００に対し、着脱自在に装着され、その装着状態で、前述したようにインクＱの廃液吸収に用いられる。このように、インク吸収用構造体１００を、いわゆる「廃液タンク（廃インクタンク）」として用いることができる。そして、インク吸収用構造体１００のインクＱの吸収量が限界に達したら、このインク吸収用構造体１００を、新たな（未使用の）インク吸収用構造体１００に交換することができる。なお、インク吸収用構造体１００のインクＱの吸収量が限界に達したか否かについては、印刷装置２００内の検出部（図示せず）によって検出される。また、インク吸収用構造体１００のインクＱの吸収量が限界に達した場合には、その旨が、例えば、印刷装置２００に内蔵されたモニター等の報知部により報知される。
【００３８】
インク吸収体１０は、インク吸収体収納容器１内でインクＱの吸収に用いられるものである。図２に示すように、インク吸収体１０は、シート状をなし、複数枚重ねられた状態で容器本体９の収納空間９３内に収納されている。これにより、インク吸収体１０の枚数分だけ、インク吸収用構造体１００におけるインクＱを吸収する吸収性能が増大する。
【００３９】
図４に示すように、インク吸収体１０は、繊維２０で構成されたシート状の繊維基材２３０と、繊維基材２３０に付着した（担持された）吸水性樹脂３０とを含んでいる。
【００４０】
吸水性樹脂３０は、繊維基材２３０の少なくとも一方の面側（図４に示す構成では表側の面２１０および裏側の面２２０）に付着している。これにより、各インク吸収体１０に対して、表側の面２１０側、裏側の面２２０側のどちら側にインクＱが到達しても、そのインクＱを吸水性樹脂３０で吸収することができる。また、吸水性樹脂３０が繊維基材２３０に対して露出した状態となるため、この吸水性樹脂３０でインクＱを迅速に吸収することができる。
【００４１】
なお、吸水性樹脂３０は、表側の面２１０側と裏側の面２２０側とで、吸水性樹脂３０の付着量が等しいのが好ましいが、異なっていてもよい。
【００４２】
また、吸水性樹脂３０は、表側の面２１０側、裏側の面２２０側のいずれでも均一に配置分散されているのが好ましいが、それらの分散の程度に疎密があってもよい。
【００４３】
また、表側の面２１０側での吸水性樹脂３０の分散の程度と、裏側の面２２０側での吸水性樹脂３０の分散の程度とは、同じであるのがより好ましいが、異なっていてもよい。
【００４４】
また、繊維２０により、インク吸収体１０にインクＱが付与された場合に、当該インクＱを繊維２０が一旦保持し、その後、吸水性樹脂３０により効率よく送り込むことができ、インク吸収体１０全体としてのインクＱの吸収特性を向上させることができる。また、一般に、セルロース繊維等の繊維（特に、古紙由来の繊維）は、吸水性樹脂３０に比べて安価であり、インク吸収体１０の製造コストの低減の観点からも有利である。また、繊維２０としては、古紙由来のものを好適に用いることができるため、廃棄物の削減、資源の有効活用等の観点からも有利である。
【００４５】
繊維２０としては、例えば、ポリエステル繊維、ポリアミド繊維等の合成樹脂繊維；セルロース繊維、ケラチン繊維、フィブロイン繊維等の天然樹脂繊維やその化学修飾物等が挙げられ、これらを単独でまたは適宜混合して用いることができるが、セルロース繊維を主とするのが好ましく、ほぼ全部がセルロース繊維であるのがより好ましい。
【００４６】
セルロースは、好適な親水性を有する材料であるため、インク吸収体１０にインクＱが付与された場合に、当該インクＱを好適に取り込むことができ、流動性が特に高い状態（例えば、粘度が１０ｍＰａ・ｓ以下の状態）を速やかに脱することができるとともに、一旦取り込んだインクＱを、好適に吸水性樹脂３０に送り込むことができる。その結果、インク吸収体１０全体としてのインクＱの吸収特性を特に優れたものとすることができる。また、セルロースは、一般に吸水性樹脂３０との親和性が高いため、繊維２０の表面に吸水性樹脂３０をより好適に担持させることができる。また、セルロース繊維は、再生可能な天然素材で、各種繊維の中でも、安価で入手が容易であるため、インク吸収体１０の生産コストの低減、安定的な生産、環境負荷の低減等の観点からも有利である。
【００４７】
なお、本明細書において、セルロース繊維とは、化合物としてのセルロース（狭義のセルロース）を主成分とし繊維状をなすものであればよく、セルロース（狭義のセルロース）の他に、ヘミセルロース、リグニンを含むものであってもよい。
【００４８】
また、インク吸収体１０中において、繊維２０は、例えば、綿状で含まれていてもよいし、シート状、短冊状、小片状等に成形されたものであってもよい。
【００４９】
繊維２０の原料としては、例えば、古紙を用いてもよい。これにより、前述したような効果が得られるとともに、省資源の観点からも好ましい。また、繊維２０の原料として古紙を用いる場合、当該古紙は、そのまま用いてもよいし、破砕処理を施した破砕物や、解繊処理を施した解繊物を用いてもよい。
【００５０】
繊維２０の平均長さは、特に限定されないが、０．１ｍｍ以上７ｍｍ以下であるのが好ましく、０．１ｍｍ以上５ｍｍ以下であるのがより好ましく、０．１ｍｍ以上３ｍｍ以下であることがさらに好ましい。
【００５１】
繊維２０の平均幅（径）は、特に限定されないが、０．５μｍ以上２００μｍ以下であるのが好ましく、１．０μｍ以上１００μｍ以下であるのがより好ましい。
【００５２】
繊維２０の平均アスペクト比（平均幅に対する平均長さの比率）は、特に限定されないが、１０以上１０００以下であるのが好ましく、１５以上５００以下であるのがより好ましい。
【００５３】
以上のような数値範囲により、吸水性樹脂３０の担持や、繊維２０によるインクＱの保持・当該インクＱの吸水性樹脂３０への送り込みをより好適に行うことができ、インク吸収体１０全体としてのインクの吸収特性をより優れたものとすることができる。
【００５４】
吸水性樹脂３０は、吸水性を有する樹脂であればよく、特に限定されないが、例えば、カルボキシメチルセルロース、ポリアクリル酸、ポリアクリルアミド、澱粉−アクリル酸グラフト共重合体、澱粉−アクリロニトリルグラフト共重合体の加水分解物、酢酸ビニル−アクリル酸エステル共重合体、イソブチレンとマレイン酸との共重合体等、アクリロニトリル共重合体やアクリルアミド共重合体の加水分解物、ポリエチレンオキサイド、ポリスルフォン酸系化合物、ポリグルタミン酸や、これらの塩（中和物）、架橋体等が挙げられる。ここで、吸水性とは、親水性を有し、水分を保持する機能を言う。吸水性樹脂３０には、吸水するとゲル化するものが多い。
【００５５】
中でも、吸水性樹脂３０は、側鎖に官能基を有する樹脂が好ましい。官能基としては、例えば、酸基、ヒドロキシル基、エポキシ基、アミノ基等が挙げられる。
【００５６】
特に、吸水性樹脂３０は、側鎖に酸基を有する樹脂であるのが好ましく、側鎖にカルボキシル基を有する樹脂であるのがより好ましい。
【００５７】
吸水性樹脂３０を構成するカルボキシル基含有単位としては、例えば、アクリル酸、メタアクリル酸、イタコン酸、マレイン酸、クロトン酸、フマル酸、ソルビン酸、ケイ皮酸やこれらの無水物、塩等の単量体から誘導されるものが挙げられる。
【００５８】
側鎖に酸基を有する吸水性樹脂３０を含む場合、当該吸水性樹脂３０中に含まれる酸基のうち中和されて塩を形成しているものの割合は、３０ｍｏｌ％以上１００ｍｏｌ％以下であるのが好ましく、５０ｍｏｌ％以上９５ｍｏｌ％以下であるのがより好ましく、６０ｍｏｌ％以上９０ｍｏｌ％以下であるのがさらに好ましく、７０ｍｏｌ％以上８０ｍｏｌ％以下であるのがもっとも好ましい。これにより、吸水性樹脂３０（インク吸収体１０）によるインクＱの吸収性をより優れたものとすることができる。
【００５９】
中和の塩の種類は、特に限定されず、例えば、ナトリウム塩、カリウム塩、リチウム塩等のアルカリ金属塩、アンモニア等の含窒素塩基性物の塩等が挙げられるが、ナトリウム塩が好ましい。これにより、吸水性樹脂３０（インク吸収体１０）によるインクＱの吸収性をより優れたものとすることができる。
【００６０】
側鎖に酸基を有する吸水性樹脂３０は、インク吸収時に酸基同士の静電反発が起こり、吸収速度が速くなるため好ましい。また、酸基が中和されていると、浸透圧によりインクＱが吸水性樹脂３０内部に吸収され易くなる。
【００６１】
吸水性樹脂３０は、酸基を含有していない構成単位を有していてもよく、このような構成単位としては、例えば、親水性の構成単位、疎水性の構成単位、重合性架橋剤となる構成単位等が挙げられる。
【００６２】
前記親水性の構成単位としては、例えば、アクリルアミド、メタアクリルアミド、Ｎ−エチル（メタ）アクリルアミド、Ｎ−ｎ−プロピル（メタ）アクリルアミド、Ｎ−イソプロピル（メタ）アクリルアミド、Ｎ，Ｎ−ジメチル（メタ）アクリルアミド、２−ヒドロキシエチル（メタ）アクリレート、２−ヒドロキシプロピル（メタ）アクリレート、メトキシポリエチレングリコール（メタ）アクレリート、ポリエチレングリコールモノ（メタ）アクリレート、Ｎ−ビニルピロリドン、Ｎ−アクリロイルピペリジン、Ｎ−アクリロイルピロリジン等のノニオン性化合物から誘導される構成単位等が挙げられる。
【００６３】
前記疎水性の構成単位としては、例えば、（メタ）アクリルニトリル、スチレン、塩化ビニル、ブタジエン、イソブテン、エチレン、プロピレン、ステアリル（メタ）アクリレート、ラウリル（メタ）アクリレート等の化合物から誘導される構成単位等が挙げられる。
【００６４】
前記重合性架橋剤となる構成単位としては、例えば、ジエチレングリコールジアクリレート、Ｎ，Ｎ’−メチレンビスアクリルアミド、ポリエチレングリコールジアクリレート、ポリプロピレングリコールジアクリレート、トリメチロールプロパンジアリルエーテル、トリメチロールプロパントリアクリレート、アリルグリシジルエーテル、ペンタエリスリトールトリアリルエーテル、ペンタエリスリトールジアクリレートモノステアレート、ビスフェノールジアクリレート、イソシアヌル酸ジアクリレート、テトラアリルオキシエタン、ジアリルオキシ酢酸塩等から誘導される構成単位等が挙げられる。
【００６５】
吸水性樹脂３０は、ポリアクリル酸塩共重合体またはポリアクリル酸重合架橋体を含有するのが好ましい。これにより、例えば、インクＱに対する吸収性能が向上したり、製造コストを抑えることができる等の利点がある。
【００６６】
ポリアクリル酸重合架橋体としては、分子鎖を構成する全構成単位に占めるカルボキシル基を有する構成単位の割合が、５０ｍｏｌ％以上のものが好ましく、８０ｍｏｌ％以上のものがより好ましく、９０ｍｏｌ％以上のものがさらに好ましい。
【００６７】
カルボキシル基を含有する構成単位の割合が少なすぎると、インクＱの吸収性能を十分に優れたものとすることが困難になる可能性がある。
【００６８】
ポリアクリル酸重合架橋体中のカルボキシル基は、一部が中和（部分中和）されて塩を形成していることが好ましい。
【００６９】
ポリアクリル酸重合架橋体中の全カルボキシル基中に占める中和されているものの割合は、３０ｍｏｌ％以上９９ｍｏｌ％以下であるのが好ましく、５０ｍｏｌ％以上９９ｍｏｌ％以下であるのがより好ましく、７０ｍｏｌ％以上９９ｍｏｌ％以下であるのがさらに好ましい。
【００７０】
また、吸水性樹脂３０は、前述した重合性架橋剤以外の架橋剤で架橋した構造を有していてもよい。
【００７１】
吸水性樹脂３０が酸基を有する樹脂である場合、当該架橋剤としては、例えば、酸基と反応する官能基を複数持った化合物を好ましく用いることができる。
【００７２】
吸水性樹脂３０が酸基と反応する官能基を有する樹脂である場合には、当該架橋剤として、分子内に酸基と反応する官能基を複数個有する化合物を好適に用いることができる。
【００７３】
酸基と反応する官能基を複数個有する化合物（架橋剤）としては、例えば、エチレングリコールジグリシジルエーテル、トリメチロールプロパントリグリシジルエーテル、（ポリ）グリセリンポリグリシジルエーテル、ジグリセリンポリグリシジルエーテル、プロピレングリコールジグリシジルエーテル等のグリシジルエーテル化合物；（ポリ）グリセリン、（ポリ）エチレングリコール、プロピレングリコール、１，３−プロパンジオール、ポリオキシエチレングリコール、トリエチレングリコール、テトラエチレングリコール、ジエタノールアミン、トリエタノールアミン等の多価アルコール類；エチレンジアミン、ジエチレンジアミン、ポリエチレンイミン、ヘキサメチレンジアミン等の多価アミン類等が挙げられる。また、亜鉛、カルシウム、マグネシウム、アルミニウム等の多価イオン類等も、吸水性樹脂３０が有する酸基と反応して架橋剤として機能するため、好適に用いることができる。
【００７４】
吸水性樹脂３０は、例えば、鱗片状、針状、繊維状、粒子状等、いかなる形状をなしていてもよいが、粒子状をなしているのが好ましい。吸水性樹脂３０が粒子状をなしている場合には、インクＱの浸透性を容易に確保することができる。また、繊維基材２３０（繊維２０）に吸水性樹脂３０を好適に担持させることができる。なお、この粒子の平均粒径は、１５μｍ以上８００μｍ以下であるのが好ましく、１５μｍ以上４００μｍ以下であるのがより好ましく、１５μｍ以上５０μｍ以下であるのがさらに好ましい。
【００７５】
なお、粒子の平均粒径としては、例えば、レーザー回折式粒度分布測定装置で測定した体積平均の粒度ＭＶＤ（Mean Volume Diameter）を用いることできる。レーザー回折・散乱法を測定原理とする粒度分布測定装置、すなわち、レーザー回折式粒度分布測定装置では、粒度分布を体積基準で測定することができる。
【００７６】
また、繊維基材２３０に対する吸水性樹脂３０は、５重量％よりも多く９０％重量以下であるのが好ましく、２０重量％以上７０重量％以下であるのがより好ましく、４０重量％以上５５重量％以下であるのがさらに好ましい。
【００７７】
また、吸水性樹脂３０の平均粒径をＤ［μｍ］、前記繊維の平均長さをＬ［μｍ］としたときに、０．１５≦Ｌ／Ｄ≦４６７の関係を満足するのが好ましく、０．２５≦Ｌ／Ｄ≦３３３の関係を満足するのがより好ましく、２≦Ｌ／Ｄ≦２００の関係を満足するのがさらに好ましい。
【００７８】
また、インク吸収体１０は、前述した以外の成分（その他の成分）を含んでいてもよい。このような成分としては、例えば、界面活性剤、潤滑剤、消泡剤、フィラー、ブロッキング防止剤、紫外線吸収剤、顔料、染料等の着色剤、難燃剤、流動性向上剤等が挙げられる。
【００７９】
以上のような構成のインク吸収体１０の平面視での形状は、本実施形態では四角形状（例えば長方形）であるのが好ましいが、これに限定さない。
【００８０】
また、インク吸収体１０は、繊維基材２３０と吸水性樹脂３０との間に中間層が設けられたものであってもよい。
【００８１】
図２に示すように、インク吸収体収納容器１は、インク吸収体１０を収納する収納空間９３を有する容器本体９と、容器本体９に着脱自在に装着される蓋体８と、インクＱを容器本体９の底部９１側（インク供給口８１と反対側）に導く導液空間３１を形成する導液管３と、導液空間３１に連通し、導液空間３１を通過してきたインクＱを、容器本体９の底部９１から側壁部９２に沿って拡散させる拡散空間４１を形成する拡散部４と、を備えている。
【００８２】
容器本体９は、平面視で例えば四角形状をなす底部（底板）９１と、底部９１の各辺（縁部）から上方に向かって立設した４つの側壁部９２とを有する箱状をなすものである。そして、底部９１と、４つの側壁部９２とに囲まれた収納空間９３内に、インク吸収体１０を収納することができる。
【００８３】
なお、容器本体９は、平面視で四角形状をなす底部９１を有するものに限定されず、例えば、平面視で円形状をなす底部９１を有し、全体が円筒状のものであってもよい。
【００８４】
また、容器本体９（収納空間９３）の容積をＶ１とし、インクＱを吸収する前（吸水前）のインク吸収体１０の総体積をＶ２としたとき、Ｖ１とＶ２の比Ｖ２／Ｖ１は、０．１以上０．７以下であるのが好ましく、０．２以上０．７以下であるのがより好ましい（図２参照）。これにより、容器本体９内には、インク吸収体１０の上側に空隙９５が生じる。インク吸収体１０は、インクＱを吸収した後に一旦膨張する（膨潤する）。空隙９５は、インク吸収体１０が膨張した際のバッファーとなり、よって、インク吸収体１０は、インクＱを十分に吸収することができる。
【００８５】
本実施形態では、容器本体９は、硬質のものである、すなわち、容器本体９に内圧または外力が作用した場合に、容積Ｖ１が例えば１０％以上変化しない程度の形状保持性を有するものである。これにより、容器本体９は、インク吸収体１０がインクＱを吸収した後膨張して、そのインク吸収体１０からの力を内側から受けても、容器本体９自身の形状を維持することができる。これにより、印刷装置２００内での容器本体９の設置状態が安定し、インク吸収体１０がインクＱを安定して吸収することができる。
【００８６】
容器本体９は、インクＱを透過しない材料で構成されていれば、その構成材料は、特に限定されない。このような容器本体９の構成材料としては、例えば、環状ポリオレフィンやポリカーボネート等のような各種樹脂材料を用いることができる。また、容器本体９の構成材料としては、前記各種樹脂材料の他に、例えば、アルミニウムやステンレス鋼等のような各種金属材料を用いることができる。
【００８７】
なお、容器本体９は、硬質のものに限定されず、可撓性を有するもの（軟質のもの）、すなわち、容器本体９に内圧または外力が作用した場合に、容積Ｖ１が１０％以上変化するものであってもよい。
【００８８】
また、容器本体９は、内部視認性を有する透明（半透明を含む）なもの、または、不透明なものいずれでもよい。
【００８９】
また、収納空間９３内では、複数枚のインク吸収体１０が底部９１に対して伏倒して重ねられた状態となっているが、これに限定されない。例えば、複数枚のインク吸収体１０が底部９１に対して起立していてもよいし、伏倒したインク吸収体１０と、起立したインク吸収体１０とが混在していてもよい。
【００９０】
前述したように、インク吸収用構造体１００は、蓋体８を備えている。図２に示すように、蓋体８は、板状をなし、容器本体９の上部開口部９４に嵌合することができる。この嵌合により、上部開口部９４を液密的に封止することができる。これにより、例えば、インクＱがチューブ２０３から排出されて落下した際に、インク吸収体１０に衝突して跳ね上がった場合でも、そのインクＱが外方に飛散するのを防止することができる。よって、インクＱがインク吸収用構造体１００の周辺に付着して汚れるのを防止することができる。
【００９１】
蓋体８の中央部には、チューブ２０３が接続され、収納空間９３内にインクＱを供給するインク供給口（接続口）８１が形成されている。インク供給口８１は、蓋体８を厚さ方向に貫通した貫通孔で構成されている。そして、このインク供給口８１（貫通孔）に、チューブ２０３の下流側の端部（下端部）を挿入して接続することができる。また、このとき、チューブ２０３の排出口（開口部）２０３ａは、下方を向く。なお、インク供給口８１は、蓋体８の中央部からズレた位置に形成されていてもよい。
【００９２】
また、蓋体８は、インクＱを吸収する吸収性を有していてもよいし、インクＱを弾く撥液性を有していてもよい。
【００９３】
蓋体８の厚さとしては、特に限定されず、例えば、１ｍｍ以上２０ｍｍ以下であるのが好ましく、８ｍｍ以上１０ｍｍ以下であるのがより好ましい。なお、蓋体８は、このような数値範囲の板状をなすものに限定されず、それよりも薄いフィムル状（シート状）ものであってもよい。この場合、蓋体８の厚さとしては、特に限定されず、例えば、１０μｍ以上１ｍｍ未満であるのが好ましい。
【００９４】
図２に示すように、インク供給口８１の下方には、導液管３が配置している。導液管３は、インクＱを容器本体９の底部９１側に導く導液空間３１を形成する管状部材である。なお、導液管３は、少なくとも上部開口部３２がインク供給口８１からインクＱが供給される供給方向の延長線上に位置していればよい。
【００９５】
前述したように、容器本体９は、底部９１と、底部９１から立設した側壁部９２とを有している。導液管３は、容器本体９の底部９１側から上方に向かって突出しており、上部開口部３２がインク供給口８１に臨んで開口している。また、導液管３は、収納空間９３内で重ねられた状態の全インク吸収体１０を一括して挿通している。このような導液管３により、インク供給口８１から供給されたインクＱは、上部開口部３２を介して、導液管３内、すなわち、導液空間３１を通過して、容器本体９の底部９１側に迅速かつ円滑に導かれることとなる。
【００９６】
インク吸収体１０にインクＱを吸収させる際には、そのインクＱをインク吸収体１０のできる限り奥側、すなわち、底部９１側に到達させ、そこから吸収させていくのが好ましい。これにより、できる限り容器本体９内の複数枚のインク吸収体１０全体にわたって、インクＱを浸透させることができ、よって、これらのインク吸収体１０を無駄なく使用することができる。そのため、導液管３を備える構成は、このような効果を奏するのに適した構成となっている。
【００９７】
また、インク吸収体１０は、インク吸収時には膨張し、乾燥時には収縮する特性を有している。導液管３は、このような膨張と収縮とが繰り返されたとしても、それによって変形するのが防止される程度の剛性を有している。これにより、長期的に安定して、インクＱを容器本体９の底部９１側に導くことができる。
【００９８】
なお、上部開口部３２は、図２に示す構成では蓋体８（インク供給口８１）から離間しているが、これに限定されず、例えば、蓋体８に接していてもよい。
【００９９】
また、導液管３は、外径および内径が一定の管状部材で構成されているが、これに限定されず、例えば、上部の外径および内径がそれぞれ上方に向かって漸増したラッパ状をなす（ガイド部を有する）管状部材で構成されていてもよい。これにより、導液管３にインクＱを容易に導入することができる。
【０１００】
導液管３の管壁３３には、導液空間３１と収納空間９３とを連通する連通部３４が形成されている。
【０１０１】
図２、図３に示すように、本実施形態では、連通部３４は、管壁３３を貫通して形成された複数の小孔３４１で構成されている。これらの小孔３４１は、導液管３（管壁３３）の周方向に沿って等間隔に配置され、導液管３の中心軸方向（図２、図３中の上下方向）に沿っても等間隔に配置されている。なお、導液管３の周方向に沿った間隔と、導液管３の中心軸方向に沿った間隔とは、同じであってもよいし、異なっていてもよい。
【０１０２】
例えばインク供給口８１からのインクＱの供給量や供給速度の大きさによっては、インクＱが導液空間３１を経て拡散空間４１に流入する過程で、導液空間３１内で一時的に滞留する場合がある。この場合、前記滞留した分が複数の小孔３４１の内の少なくとも１つの小孔３４１を介して、インク吸収体１０に吸収される。これにより、導液空間３１内でのインクＱの滞留を抑制することができ、よって、インクＱの迅速かつ十分な吸収が可能となる。
【０１０３】
導液管３の周方向に沿った小孔３４１の形成数は、本実施形態では４つとなっている。この場合、４つの小孔３４１は、それぞれ、容器本体９の各側壁部９２側に臨んでいるのが好ましい。
【０１０４】
なお、導液管３の周方向に沿った小孔３４１の形成数は、本実施形態では４つであるが、これに限定されず、例えば、２つ、３つまたは５以上であってもよい。
【０１０５】
また、各小孔３４１の形状は、本実施形態では円形であるが、これに限定されず、例えば、楕円形であってもよいし、四角形等のような多角形であってもよい。
【０１０６】
前述したように、容器本体９は、底部９１と、底部９１から立設した側壁部９２とを有している。また、インク吸収体収納容器１は、導液空間３１に連通し、導液空間３１を通過してきたインクＱを、底部９１および側壁部９２のうちの少なくとも底部９２に沿って（本実施形態では底部９１から側壁部９２に沿って）拡散させる拡散空間４１を形成する拡散部４を備えている。これにより、容器本体９の底部９１や側壁部９２側からもインクＱが導液空間３１に流入することができ、よって、インク吸収体１０によるインクＱの迅速かつ十分な吸収がさらに可能となる。このようにインク吸収体収納容器１（インク吸収用構造体１００）は、インクＱを多方向から吸収することができるよう構成されている。
【０１０７】
図２に示すように、拡散部４は、拡散空間４１と収納空間９３とを区切る隔壁部４２と、隔壁部４２を容器本体９に対して支持する支持部４４とを有している。隔壁部４２は、容器本体９の底部９１に間隙を介して対向する第１隔壁４２１と、各側壁部９２に間隙を介して対向する第２隔壁４２２とで構成されている。そして、底部９１と第１隔壁４２１との間の空間と、側壁部９２と第２隔壁４２２との間の各空間とが連通して、拡散空間４１を構成している。
【０１０８】
また、隔壁部４２、すなわち、第１隔壁４２１と各第２隔壁４２２とには、拡散空間４１と収納空間９３とを連通する連通部（第２連通部）４３が形成されている。この連通部４３は、隔壁部４２を貫通して形成された複数の小孔４３１で構成されている。これらの小孔４３１は、各隔壁において、その面方向に均一に配置されている。このような小孔４３１で構成された連通部４３により、拡散空間４１内で拡散されたインクＱは、いずれの小孔４３１からも導液空間３１に流入して、その後迅速にインクＱが吸収されることとなる。特に、第１隔壁４２１に形成された小孔４３１により、インクＱをインク吸収体１０のできる限り奥側から優先的に吸収させていくことができるため、インク吸収に好ましい構成となっている。なお、第１隔壁４２１での小孔４３１の配設密度と、各第２隔壁４２２での小孔４３１の配設密度とは、同じであってもよいし、異なっていてもよい。
【０１０９】
支持部４４は、側壁部９２と第２隔壁４２２との間に配置され、これらを連結している。これにより、隔壁部４２を容器本体９に対して支持することができ、よって、拡散空間４１を確保することができる。
【０１１０】
なお、導液管３と拡散部４とは、図２に示す構成では互いに別体で構成され、この別体同士を接合したものとなっているが、これに限定されず、例えば、一体的に形成されたものとなっていてもよい。
【０１１１】
また、導液管３および拡散部４の構成材料としては、それぞれ、特に限定されず、例えば、容器本体９と同じ構成材料を用いることができる。
【０１１２】
＜第２実施形態＞
図５は、本発明のインク吸収用構造体（インク吸収体収納容器）の第２実施形態が備えるインク吸収体の拡大詳細垂直断面図である。
【０１１３】
以下、この図を参照して本発明のインク吸収体収納容器およびインク吸収用構造体の第２実施形態について説明するが、前述した実施形態との相違点を中心に説明し、同様の事項はその説明を省略する。
【０１１４】
本実施形態は、インク吸収体の構成が異なること以外は前記第１実施形態と同様である。
【０１１５】
図５に示すように、本実施形態では、吸水性樹脂３０は、繊維基材２３０の厚さ方向の途中に存在している。つまり、吸水性樹脂３０は、繊維基材２３０の中に分散して存在している。これにより、インクＱをできる限りインク吸収体１０の厚さ方向の中央部側に保持する（吸収する）ことができ、よって、インクＱの保持状態を長期的に維持することができる。また、繊維基材２３０からの吸水性樹脂３０の脱落（脱離）も防止することができる。
【０１１６】
なお、吸水性樹脂３０は、厚さ方向に均一に分散されていてもよいし、繊維基材２３０の表側の面２１０または裏側の面２２０に偏在していてもよい。
【０１１７】
また、図４に示す構成との組み合わせ、すなわち、吸水性樹脂３０が、繊維基材２３０の少なくとも一方の面側（表側の面２１０や裏側の面２２０）にも存在して（付着して）いてもよい。
【０１１８】
＜第３実施形態＞
図６は、本発明のインク吸収用構造体（インク吸収体収納容器）の第３実施形態における導液管の斜視図である。図７は、本発明のインク吸収用構造体（インク吸収体収納容器）の第３実施形態における拡散部（隔壁部）の斜視図である。
【０１１９】
以下、これらの図を参照して本発明のインク吸収体収納容器およびインク吸収用構造体の第３実施形態について説明するが、前述した実施形態との相違点を中心に説明し、同様の事項はその説明を省略する。
【０１２０】
本実施形態は、連通部の形状と、拡散部（隔壁部）の形状が異なること以外は前記第１実施形態と同様である。
【０１２１】
図６に示すように、本実施形態では、連通部３４は、導液管３の管壁３３を貫通し、導液管３の中心軸方向（図６中の上下方向）に沿って形成された複数のスリット３４２で構成されている。つまり、導液管３が延在する方向に複数のスリット３４２が形成された構成となっている。これらのスリット３４２は、導液管３の周方向に沿って等間隔に配置されているが、これに限定されず、間隔が異なって配置されていてもよい。また、各スリット３４２の幅は、導液管３の中心軸方向（図６中の上下方向）に沿って一定となっているが、これに限定されず、例えば、上方に向かって増加していたり、それと反対に、下方に向かって増加していてもよい。そして、このようなスリット３４２で構成された連通部３４によっても、導液空間３１内で一時的に滞留したインクＱは、複数のスリット３４２の内の少なくとも１つのスリット３４２を介して、インク吸収体１０に吸収される。これにより、導液空間３１内でのインクＱの滞留を抑制することができ、よって、インクＱの迅速かつ十分な吸収が可能となる。
【０１２２】
図７に示すように、拡散空間４１と収納空間９３とを区切る隔壁部４２は、容器本体９の底部９１側に配置された第１隔壁４２１と、容器本体９の側壁部９２側に配置された第２隔壁４２２とで構成されており、それぞれには、収納空間９３の側に向けて突出した突出部４５が複数形成されている。第１隔壁４２１の各突出部４５は、図７中の容器本体９の底部９１（左右方向）に沿って延在したリブで構成されている。第２隔壁４２２の各突出部４５は、図７中の容器本体９の側壁部９２（上下方向）に沿って延在したリブで構成されている。また、隣り合う突出部４５同士は、離間しており、これらの間に小孔４３１が配置されている。
【０１２３】
例えば、インク吸収体１０が前記第１実施形態でのシート状をなすものも小さい小片状（短冊状）をなすものである場合、この小片は、突出部４５によって小孔４３１から離されて、小孔４３１を塞ぐのが防止される。これにより、インクＱは、小孔４３１を円滑に通過することができる。その結果、インクＱは、収納空間９３内に広がって、インク吸収体１０に十分に到達することができ、その後インク吸収体１０で吸収される。
【０１２４】
なお、第１隔壁４２１の突出部４５と、第２隔壁４２２の突出部４５とは、図７に示す構成では連続している、すなわち、つながっているが、これに限定されず、例えば、不連続となって、すなわち、分断されていてもよい。
また、各突出部４５は、リブで構成されているのに限定されない。
【０１２５】
＜第４実施形態＞
図８は、本発明のインク吸収用構造体（インク吸収体収納容器）の第４実施形態の垂直断面図である。図９は、図８に示すインク吸収用構造体（インク吸収体収納容器）が備えるインク吸収体の拡大詳細垂直断面図である。
【０１２６】
以下、これらの図を参照して本発明のインク吸収体収納容器およびインク吸収用構造体の第４実施形態について説明するが、前述した実施形態との相違点を中心に説明し、同様の事項はその説明を省略する。
【０１２７】
本実施形態は、インク吸収体の構成が異なること以外は前記第１実施形態と同様である。
【０１２８】
図８に示すように、実施形態では、インク吸収体１０は、全体として綿状をなすものである。また、図９に示すように、インク吸収体１０を拡大してみると、そのインク吸収体１０は、互いに絡み合った繊維２０と、繊維２０に付着した（担持された）吸水性樹脂３０とを含んでいる。なお、繊維２０同士は、バインダー（図示せず）を介して、互いに接合されているのが好ましい。このような綿状のインク吸収体１０は、インク吸収性が高まり、インクＱの吸収を促進すすることができる。
【０１２９】
＜第５実施形態＞
図１０は、本発明のインク吸収用構造体（インク吸収体収納容器）の第５実施形態が備える導液管の斜視図である。
【０１３０】
以下、この図を参照して本発明のインク吸収体収納容器およびインク吸収用構造体の第５実施形態について説明するが、前述した実施形態との相違点を中心に説明し、同様の事項はその説明を省略する。
本実施形態は、導液管の構成が異なること以外は前記第１実施形態と同様である。
【０１３１】
図１０に示すように、本実施形態では、導液管３は、外側に向かって突出して分岐した分岐管３５を有している。分岐管３５の形成数は、図１０に示す構成では複数本であり、同じ高さに位置する分岐管３５同士は、放射状に配置されているが、これに限定されない。例えば、分岐管３５の形成数は、１本であってもよい。また、分岐管３５には、少なくとも１つの小孔３４が形成されているのが好ましい。
【０１３２】
このような分岐管３５を有することにより、インク吸収体１０へのインクＱの吸収（浸透）を促進することができる。
【０１３３】
以上、本発明のインク吸収体収納容器およびインク吸収用構造体を図示の実施形態について説明したが、本発明は、これに限定されるものではなく、インク吸収体収納容器およびインク吸収用構造体を構成する各部は、同様の機能を発揮し得る任意の構成のものと置換することができる。また、任意の構成物が付加されていてもよい。
【０１３４】
また、本発明のインク吸収体収納容器およびインク吸収用構造体は、前記各実施形態のうちの、任意の２以上の構成（特徴）を組み合わせたものであってもよい。
【０１３５】
また、インク吸収体収納容器は、導液部が容器本体の底部にまで至らない途中までの長さであってもよい。
また、インク吸収体収納容器は、拡散部が省略されていてもよい。
【符号の説明】
【０１３６】
１…インク吸収体収納容器、３…導液管、３１…導液空間、３２…上部開口部、３３…管壁、３４…連通部（第１連通部）、３４１…小孔、３４２…スリット、３５…分岐管、４…拡散部、４１…拡散空間、４２…隔壁部、４２１…第１隔壁、４２２…第２隔壁、４３…連通部（第２連通部）、４３１…小孔、４４…支持部、４５…突出部、８…蓋体、８１…インク供給口、９…容器本体、９１…底部（底板）、９２…側壁部、９３…収納空間、９４…上部開口部、９５…空隙、１０…インク吸収体、２０…繊維、２１０…表側の面、２２０…裏側の面、２３０…繊維基材、３０…吸水性樹脂、１００…インク吸収用構造体、２００…印刷装置、２０１…インク吐出ヘッド、２０１ａ…ノズル、２０２…キャッピングユニット、２０３…チューブ、２０３ａ…排出口（開口部）、２０４…ローラーポンプ、２０４ａ…ローラー部、２０４ｂ…挟持部、Ｑ…インク、Ｖ１…容積、Ｖ２…総体積
【図１】
2019171599.tif 000003
【図２】
2019171599.tif 000004
【図３】
2019171599.tif 000005
【図４】
2019171599.tif 000006
【図５】
2019171599.tif 000007
【図６】
2019171599.tif 000008
【図７】
2019171599.tif 000009
【図８】
2019171599.tif 000010
【図９】
2019171599.tif 000011
【図１０】
2019171599.tif 000012